(57)【要約】【課題】操作量を大きく設定しても、操作感触を良好にすることができるクリックばね付シート及びスイッチ装置を提供する。【解決手段】ドーム形状のクリックばね５と、クリックばね５が一面側に貼り付けられたシート２とを有するクリックばね付シート１において、クリックばね５の頂部５ａの上方側からの押圧操作によって、クリックばね５の頂部５ａが下方に反転可能であって、シート２は、可撓性を有するとともに、平面視でクリックばね５の外周部５ｂより外側の位置からクリックばね５の頂部５ａに向かって渦状になるように形成された複数のスリット２０が設けられている。【選択図】図１
0003181914.tif 000002
【実用新案登録請求の範囲】
【請求項１】
ドーム形状のクリックばねと、前記クリックばねが一面側に貼り付けられたシートとを有するクリックばね付シートにおいて、
前記クリックばねの頂部の上方側からの押圧操作によって、前記クリックばねの前記頂部が下方に反転可能であって、
前記シートは、可撓性を有するとともに、平面視で前記クリックばねの外周部より外側の位置から前記クリックばねの前記頂部に向かって渦状になるように形成された複数のスリットが設けられていることを特徴とするクリックばね付シート。
【請求項２】
前記クリックばねの前記頂部を中心とする放射状の仮想線上において、前記複数のスリットの少なくとも１つが形成されていることを特徴とする請求項１に記載のクリックばね付シート。
【請求項３】
前記複数のスリットは、前記クリックばねと間隙を有して配置されていることを特徴とする請求項１又は請求項２に記載のクリックばね付シート。
【請求項４】
前記シートはカバーシートとスペーサシートとからなり、
前記スペーサシートは、前記一面側に配置されるとともに、前記クリックばねを収容する収容部が設けられており、
前記クリックばねは、平面視で、前記外周部が前記収容部の内壁より内側に位置し、かつ、前記頂部が前記カバーシートに貼り付けられるように前記収容部の略中央に配置され、
前記複数のスリットは、前記カバーシートに、平面視で前記収容部の前記内壁の位置から内側に向かって形成されていることを特徴とする請求項１乃至請求項３のいずれかに記載のクリックばね付シート。
【請求項５】
前記クリックばねが複数あり、各クリックばねに対して前記複数のスリットが形成されていることを特徴とする請求項１乃至請求項４のいずれかに記載のクリックばね付シート。
【請求項６】
前記クリックばねが複数あり、近接した状態で配置された前記クリックばねに対応する前記複数のスリットにおいて、近接する側に配置される前記複数のスリットのひとつが他に比べて短く形成されていることを特徴とする請求項５に記載のクリックばね付シート。
【請求項７】
前記カバーシートは粘着層を有し、前記スリットは短手方向の幅が０．２ｍｍであることを特徴とする請求項４乃至請求項６のいずれかに記載のクリックばね付シート。
【請求項８】
請求項１乃至請求項７のいずれかに記載のクリックばね付シートを有し、
前記クリックばねを可動接点とするとともに、前記クリックばねに対応する位置の下方側に固定接点が配置されていることを特徴とするスイッチ装置。
【請求項９】
請求項１乃至請求項７のいずれかに記載のクリックばね付シートを有し、
前記クリックばねに対応する位置の下方側に、固定接点と可動接点とを備えるスイッチ部が配置されていることを特徴とするスイッチ装置。
【考案の詳細な説明】
【技術分野】
【０００１】
本考案は、操作感触を良好にするクリックばね付シート及びスイッチ装置に関する。
【背景技術】
【０００２】
携帯電話等の種々の電子機器における入力キースイッチ等として使用されるクリックばね付シートの構造としては、可撓性のフィルムの裏側にドーム状のクリックばねを貼着したものが知られている。このクリックばね（反転板とも言う）の頂部が押圧されたときに、押圧された頂部が反転し、この反転動作をスイッチの接点を導通させるために機能させると同時に、反転動作に伴う操作感触（クリック感）を好ましいものとすることができる。
【０００３】
例えば、特許文献１には、反転板が反転動作するときの良好なクリック感を得るために必要になる反転動作時の反転板の周囲での空気の流通を良好に確保することができるものでありながら、反転板の配備箇所への塵埃の侵入を防止して、反転板の良好な動作信頼性や接触安定性を確保することのできるスイッチが開示されている。
【０００４】
図１２は、特許文献１に記載のスイッチシート１１０のスイッチ要素を説明する平面図である。スイッチシート１１０は、一枚のカバーフィルム１２０の裏側に、粘着層を介し、多数の円形ドーム状の反転板１３０の膨らみ面が貼着されており、それぞれの反転板１３０は所定の状態に配列されている。反転板１３０は金属板などの導体でなる。カバーフィルム１２０における反転板１３０の外周輪郭線１３０ａの外側位置に、反転板１３０と同心でかつ開いて空気流通口を形成する円弧形状の切り目１５０が形成されている。
【先行技術文献】
【特許文献】
【０００５】
【特許文献１】特許第３７６６７６８号公報
【考案の概要】
【考案が解決しようとする課題】
【０００６】
しかしながら、カバーフィルム１２０は、反転板１３０の膨らみ面に貼着されており、膨らみ面に倣って伸長された状態にある。反転板１３０の反転動作における上下方向の移動量である操作量は、カバーフィルム１２０の張力によって制限されてしまう。このため、操作量を大きくしたい場合には、反転板（クリックばね）の動作に追従できず、操作感触を低下させる原因となっていた。
【０００７】
本考案は、上述した課題を解決するもので、操作量を大きく設定しても、操作感触を良好にすることができるクリックばね付シート及びスイッチ装置を提供することを目的とする。
【課題を解決するための手段】
【０００８】
本考案は、ドーム形状のクリックばねと、前記クリックばねが一面側に貼り付けられたシートとを有するクリックばね付シートにおいて、前記クリックばねの頂部の上方側からの押圧操作によって、前記クリックばねの前記頂部が下方に反転可能であって、前記シートは、可撓性を有するとともに、平面視で前記クリックばねの外周部より外側の位置から前記クリックばねの前記頂部に向かって渦状になるように形成された複数のスリットが設けられていることを特徴とする。
【０００９】
この態様によれば、クリックばねが一面側に貼り付けられたシートを上方側から押圧し、前記クリックばねの前記頂部を下方に反転させる操作において、渦状のスリットが設けられていることで、伸長されたシートの張力を小さくすることができるので、操作量を大きく設定しても、操作感触を良好にすることができる。
【００１０】
本考案のクリックばね付シートにおいて、前記クリックばねの前記頂部を中心とする放射状の仮想線上において、前記複数のスリットの少なくとも１つが形成されていることを特徴とする。
【００１１】
この態様によれば、複数のスリットが満遍なく配置されているので、クリックばねの動作に対しての追従性が良いものとなっている。
【００１２】
本考案のクリックばね付シートにおいて、前記複数のスリットは、前記クリックばねと間隙を有して配置されていることを特徴とする。
【００１３】
この態様によれば、クリックばねに貼りつかない部分により反転動作への追従性がよく、操作感触を良好にすることができる。
【００１４】
本考案のクリックばね付シートにおいて、前記シートはカバーシートとスペーサシートとからなり、前記スペーサシートは、前記一面側に配置されるとともに、前記クリックばねを収容する収容部が設けられており、前記クリックばねは、平面視で、前記外周部が前記収容部の内壁より内側に位置し、かつ、前記頂部が前記カバーシートに貼り付けられるように前記収容部の略中央に配置され、前記複数のスリットは、前記カバーシートに、平面視で前記収容部の前記内壁の位置から内側に向かって形成されていることを特徴とする。
【００１５】
この態様によれば、クリックばねの形状とスペーサシートの厚さとによって、クリックばねの頂部の反転動作における移動量を設定可能であり、移動量を大きく設定したときにも、カバーシートに渦状のスリットが設けられていることで、伸長されたカバーシートの張力を小さくすることができるので、操作感触を良好にすることができる。
【００１６】
本考案のクリックばね付シートにおいて、前記クリックばねが複数あり、各クリックばねに対して前記複数のスリットが形成されていることを特徴とする。
【００１７】
この態様によれば、複数のクリックばねを有しているので、キーボードなどの複数の操作部分があるものに対応できる。
【００１８】
本考案のクリックばね付シートにおいて、前記クリックばねが複数あり、近接した状態で配置された前記クリックばねに対応する前記複数のスリットにおいて、近接する側に配置される前記複数のスリットのひとつが他に比べて短く形成されていることを特徴とする。
【００１９】
この態様によれば、複数のクリックばねのうち、近接した状態で配置されたクリックばねに対応する複数のスリットのひとつが他に比べて短く形成されている。これにより、近接した状態のクリックばねにおいても、短いスリットを含む複数のスリットが設けられていることで、伸長されたカバーシートの張力を小さくすることができるので、他のクリックばね部分に比較して操作感触をほとんど低下させることがないものにできる。
【００２０】
本考案のクリックばね付シートにおいて、前記カバーシートは粘着層を有し、前記スリットは短手方向の幅が０．２ｍｍであることを特徴とする。
【００２１】
この態様によれば、カバーシートは粘着層を有しているので、粘着層を介してクリックばねの頂部を貼り付けることができる。また、スリットの短手方向の幅が０．２ｍｍであるので、スリットをレーザで加工することが容易であるとともに、粘着層がスリットの短手方向に再溶着してしまう心配がない。
【００２２】
本考案のスイッチ装置は、上記いずれかのクリックばね付シートを有し、前記クリックばねを可動接点とするとともに、前記クリックばねに対応する位置の下方側に固定接点が配置されていることを特徴とする。
【００２３】
この態様によれば、渦状のスリットが形成されたクリックばね付シートによって、操作量を増加させることができるとともに、良好な操作感触を有するスイッチ装置とすることができる。
【００２４】
本考案のスイッチ装置は、上記いずれかのクリックばね付シートを有し、前記クリックばねに対応する位置の下方側に、固定接点と可動接点とを備えるスイッチ部が配置されていることを特徴とする。
【００２５】
この態様によれば、渦状のスリットが形成されたクリックばね付シートによって、操作量を増加させることができるとともに、良好な操作感触を有するスイッチ装置とすることができる。
【考案の効果】
【００２６】
本考案のクリックばね付シートは、クリックばねが一面側に貼り付けられたシートを上方側から押圧し、前記クリックばねの前記頂部を下方に反転させる操作において、渦状のスリットとすることで、操作感触を保ったまま、シートが追従して操作量を増加させることができる。
【００２７】
本考案のスイッチ装置は、渦状のスリットが形成されたクリックばね付シートによって、操作量を増加させることができるとともに、良好な操作感触を有する。
【００２８】
したがって、本考案によれば、操作感触を保ったまま、シートが追従して操作量を増加させることができるクリックばね付シート及びスイッチ装置を提供できる。
【図面の簡単な説明】
【００２９】
【図１】本考案の第１実施形態のクリックばね付シート及びこれを用いたスイッチ装置を示す外観図で、（ａ）は模式平面図、（ｂ）は模式正面図、（ｃ）は（ａ）のＩＩＩ−ＩＩＩ線で切断した模式断面図である。
【図２】第１実施形態のスイッチ装置の構成を示す分解斜視図である。
【図３】図１のＩＩＩ−ＩＩＩ線で切断したスイッチ装置の模式断面図であり、（ａ）は初期状態の模式断面図であり、（ｂ）は操作状態での模式断面図であり、（ｃ）は（ａ）に示すＡ部の拡大説明図である。
【図４】第１実施形態のクリックばね付シート及びスイッチ装置の第１変形例を示す外観図で、（ａ）は模式平面図、（ｂ）は（ａ）のＩＶ−ＩＶ線で切断した模式断面図である。
【図５】第１実施形態のスイッチ装置の第２変形例を示す外観図で、（ａ）は模式平面図、（ｂ）は（ａ）のＶ−Ｖ線で切断した模式断面図である。
【図６】本考案の第２実施形態のクリックばね付シート及びこれを用いたスイッチ装置を示す外観図で、（ａ）は模式平面図、（ｂ）は模式正面図である。
【図７】図６のＶＩＩ−ＶＩＩ線で切断したスイッチ装置の模式断面図であり、（ａ）は初期状態の断面図であり、（ｂ）は操作状態での模式断面図であり、（ｃ）は（ａ）に示すＣ部の拡大説明図である。
【図８】第２実施形態のクリックばね付シート及びこれを用いたスイッチ装置の第１変形例を示す外観図で、（ａ）は模式平面図、（ｂ）は（ａ）のＶＩＩＩ−ＶＩＩＩ線で切断した模式断面図である。
【図９】本考案の第６実施形態のクリックばね付シート及びこれを用いたスイッチ装置の外観図で、（ａ）は模式平面図、（ｂ）は（ａ）のＩＸ−ＩＸ線で切断した模式断面図である。
【図１０】スリットの形状を説明する模式図である。
【図１１】スリットの形状の変形例を説明する模式図である。
【図１２】従来のスイッチシートを説明する平面図である。
【考案を実施するための形態】
【００３０】
以下、本発明の実施の形態について図面を用いて詳細に説明する。なお、分かりやすいように、図面は寸法を適宜変更している。
【００３１】
［第１実施形態］
以下に第１実施形態におけるクリックばね付シート１及びスイッチ装置３０について図１〜図３、及び図１０を参照して説明する。図１は、第１実施形態のクリックばね付シート１及びこれを用いたスイッチ装置３０を示す外観図で、図１（ａ）は模式平面図、図１（ｂ）は模式正面図、図１（ｃ）は図１（ａ）のＩＩＩ−ＩＩＩ線で切断した模式断面図である。図２は、第１実施形態のスイッチ装置３０の構成を示す分解斜視図である。図３は、図１のＩＩＩ−ＩＩＩ線で切断したスイッチ装置３０の模式断面図であり、図３（ａ）は初期状態の模式断面図であり、図３（ｂ）は操作状態での模式断面図であり、図３（ｃ）は図３（ａ）に示すＡ部の拡大説明図である。図１０は、スリット２０の形状を説明する模式図である。
【００３２】
図１及び図２に示すように、スイッチ装置３０は、クリックばね５を有するクリックばね付シート１と、固定接点６６及び接点部材６７が配置されたベース３と、を組み立てたものである。クリックばね付シート１は、図２に示すように、クリックばね５と、カバーシート２１とスペーサシート２２とが積層されたシート２と、で構成されている。
【００３３】
クリックばね５は、導電性の金属板、例えば、りん青銅によりドーム状の膨出部を有する略円形の外形に加工されたものである。クリックばね５は、図１（ｃ）に示すように、頂部５ａと、外周部５ｂと、を有している。クリックばね５の外周部５ｂが固定された状態で、クリックばね５の頂部５ａの上方側からの押圧操作によって、クリックばね５の頂部５ａが下方に反転可能である。
【００３４】
カバーシート２１は、可撓性を有するフィルム材、例えば、ＰＥＴ（ポリエチレンテレフタレート）を加工したものである。カバーシート２１には、渦状のスリット２０が形成されている。このようなスリット２０は、カバーシート２１をレーザによって加工することにより形成される。カバーシート２１には、透明なフィルム材の他、例えば、白色顔料が混合されて白色に着色されたフィルム材や、黒色顔料が混合されて黒色に着色されたフィルム材を使用することができる。
【００３５】
スペーサシート２２は、可撓性を有するフィルム材、例えば、ＰＥＴを加工したものである。スペーサシート２２は、図２に示すように、クリックばね５を収容する開口が形成され、該開口を除く全面がカバーシート２１の一面側に貼着される。カバーシート２１にスペーサシート２２が貼着されることによって、スペーサシート２２の開口をカバーシート２１が覆うことによって、収容部４の空間が形成されている。
【００３６】
図３（ａ）に示すように、収容部４の中央部分にクリックばね５が収容され、カバーシート２１がクリックばね５の形状に倣ってドーム状に膨出する。クリックばね５と接する側のカバーシート２１の一面には、図３（ｃ）に拡大して示すように、粘着層２１ａが形成されている。これにより、カバーシート２１は、粘着層２１ａを介して、クリックばね５の頂部５ａと貼着されている。このように、クリックばね付シート１は、クリックばね５と、カバーシート２１とスペーサシート２２とが積層されたシート２と、で構成されている。なお、図３（ｃ）に示すように、クリックばね５の外周部５ｂと、収容部４の内壁４ａと、が所定の寸法だけ離れており、外周部５ｂにはカバーシート２１の粘着層２１ａが接していない。スリット２０は、クリックばね５に貼着されない位置に形成されて、クリックばね５と隙間を有している。
【００３７】
ベース３は、絶縁性の樹脂材、例えば、フェノール樹脂を成形したものであり、ベース３の表面には、導電性の金属板からなる固定接点６６及び接点部材６７が配設されている。固定接点６６及び接点部材６７は、それぞれ、ベース３に埋設された接続部（図示しない）を有しており、互いに電気的に絶縁された状態で外部の配線に接続可能に設けられている。
【００３８】
接点部材６７は、図３（ａ）に示すように、クリックばね付シート１とベース３とが組み立てられたときにクリックばね５の外周部５ｂに当接する位置に配置されている。スペーサシート２２がベース３に粘着層（図示しない）を介して貼着されることによって、接点部材６７とクリックばね５とが電気接続される。
【００３９】
固定接点６６は、クリックばね付シート１とベース３とが組み立てられたときに、クリックばね５に対応する平面位置の下方側に配置されている。固定接点６６は、接点部材６７とは電気的に絶縁された状態で配置されており、かつ、クリックばね５がドーム状であるため、図３（ａ）に示すように、初期状態では、クリックばね５の頂部５ａと固定接点６６とは接していない。
【００４０】
スイッチ装置３０は、可動接点となるクリックばね５が一面側に貼り付けられたシート２を、上方側（他面側）から押圧する押圧操作によって、クリックばね５の頂部５ａを下方に反転可能な構成になっている。すなわち、図３（ｂ）に示すように、クリックばね５の頂部５ａを覆うシート２を上方側から押圧操作することによって、クリックばね５の頂部５ａが下方に反転する。これにより、クリックばね５が固定接点６６に当接して、クリックばね５を介して固定接点６６と接点部材６７とが電気接続される。また、このとき、シート２は、クリックばね５の頂部５ａが下方に反転する状態に追従して、図３（ｂ）に示すように変形する。押圧操作が開放されると、クリックばね５の復元力によって、図３（ａ）に示す初期状態に戻り、固定接点６６と接点部材６７とは電気的に絶縁された状態に復帰する。
【００４１】
なお、このときのクリックばね５の頂部５ａが上下方向に移動する移動量を、操作量と称する。また、クリックばね５の頂部５ａの反転動作に伴って操作荷重が非線形に変化する感触を、操作感触（クリック感）と称する。
【００４２】
操作量を大きくしたい場合、クリックばね５の頂部５ａの反転動作における移動量を大きくするように、クリックばね５のドーム形状の高さを高くする。
【００４３】
次に、本実施形態のクリックばね付シート１及びこれを用いたスイッチ装置３０におけるスリット２０の形状を説明する。
【００４４】
図１に示すように、複数のスリット２０が、平面視でクリックばね５の外周部５ｂより外側の位置からクリックばね５の頂部５ａに向かって渦状になるように形成されている。図１０に示すように、クリックばね５の頂部５ａを中心とする放射状の仮想線（直線）ＲＬを引くと、スリット２０は、平面視で収容部４の内壁４ａ近傍の位置を長手方向の一端、中心に向かって形成された中心側を長手方向の他端とする細長い開口形状である。スリット２０の短手方向の幅は、例えば、０．２ｍｍに形成されている。このようなスリット２０は、レーザによって加工することが容易である。レーザ加工は、カッター等で切れ目を入れた場合と異なり、０．０２ｍｍ以上の加工幅（開口幅）を有しているので、図３（ｃ）に示す粘着層２１ａが再溶着してスリット２０を閉塞してしまう心配がない。
【００４５】
図１０に示すように、スリット２０の長手方向の一端の仮想円Ｃ１と他端の仮想円Ｃ２とを引いたとき、その２つの仮想円Ｃ１、Ｃ２が離間する径方向寸法をＬ１とする。スリット２０の長手方向の他端は、平面視でクリックばね５の外周部５ｂの上方に位置し、図３（ｃ）に示すように、クリックばね５とは間隙を有している。
【００４６】
図１０に示すように、クリックばね５の頂部５ａを中心とする放射状の仮想線ＲＬがスリット２０を横切るように、複数のスリット２０が配置されている。このため、カバーシート２１がクリックばね５の形状に倣ってドーム状に膨出するときには、径方向でなく、複数のスリット２０間の渦状の方向にカバーシート２１が伸長される。すなわち、径方向寸法Ｌ１の範囲において、カバーシート２１が渦状の方向に沿って、より伸長しやすくなっている。このとき、カバーシート２１が伸長されて発生する張力はクリックばね５の膨出を抑制する方向に作用しているが、複数のスリット２０が渦状に設けられていることにより張力を小さくすることができる。また、クリックばね５が一面側に貼り付けられたシート２を、その他面側である上方側から押圧する押圧操作によって、クリックばね５の頂部５ａを下方に反転させる際には、カバーシート２１の張力が小さく、且つ、スリット２０が幅方向にも変位可能なので、シート２は、クリックばね５の頂部５ａが下方に反転する状態に追従して、変形することが容易になっている。このように、シート２は複数のスリット２０が渦状になるように形成されているので、クリックばね５の反転操作量を大きくしてもシート２が追従することが可能であり、このため、操作量を大きく設定しても、クリックばね付シート１の操作感触が損なわれることがない。
【００４７】
以上に説明したように、本実施形態の接点ばね付シート１では、シート２に、平面視でクリックばね５の外周部５ｂより外側の位置からクリックばね５の頂部５ａに向かって渦状になるように形成された複数のスリット２０が設けられている。この態様によれば、クリックばね５が一面側に貼り付けられたシート２を上方側から押圧し、クリックばね５の頂部５ａを下方に反転させる操作において、渦状のスリット２０が設けられていることで、伸長されたシート２の張力を小さくすることができるので、操作量を大きく設定しても、操作感触を良好にすることができる。
【００４８】
本実施形態のスイッチ装置３０は、渦状のスリット２０が形成されたクリックばね付シート１を有し、クリックばね５を可動接点とするとともに、クリックばね５に対応する位置の下方側に固定接点６６が配置されている。この態様によれば、スイッチ装置３０は、渦状のスリット２０が形成されたクリックばね付シート１によって、操作量を大きく設定しても、操作感触を良好にすることができる。したがって、スイッチ装置３０は、操作量を増加させることができるとともに、良好な操作感触を有する。
【００４９】
本実施形態では、クリックばね５の頂部５ａを中心とする放射状の仮想線ＲＬ上において、複数のスリット２０の少なくとも１つが形成されている。この態様によれば、複数のスリット２０が満遍なく配置されているので、クリックばね５の動作に対しての追従性が良いものとなっている。
【００５０】
本実施形態において、複数のスリット２０は、クリックばね５と間隙を有して配置されている。この態様によれば、クリックばね５に貼りつかない部分により反転動作への追従性がよく、操作感触を良好にすることができる。
【００５１】
本実施形態において、スペーサシート２２は、カバーシート２１の一面側に配置されるとともに、クリックばね５を収容する収容部４が設けられており、クリックばね５は、平面視で、外周部５ｂが収容部４の内壁４ａより内側に位置し、かつ、頂部５ａがカバーシート２１に貼り付けられるように収容部４の略中央に配置され、複数のスリット２０は、カバーシート２１に、平面視で収容部４の内壁４ａの位置から内側に向かって形成されている。この態様によれば、クリックばね５の形状によって、クリックばね５の頂部５ａの反転動作における移動量を設定可能であり、移動量を大きく設定したときにも、カバーシート２１に渦状のスリット２０が設けられていることで、伸長されたカバーシート２１の張力を小さくすることができるので、操作感触を良好にすることができる。
【００５２】
本実施形態において、カバーシート２１は粘着層２１ａを有し、スリット２０は短手方向の幅が０．２ｍｍである。この態様によれば、カバーシート２１は粘着層２１ａを有しているので、粘着層２１ａを介してクリックばね５の頂部５ａを貼り付けることができる。また、スリット２０の短手方向の幅が０．２ｍｍであるので、このようなスリット２０は、レーザによって加工することが容易である。レーザ加工は、カッター等で切れ目を入れた場合と異なり、０．０２ｍｍ以上の加工幅を有しているので、粘着層２１ａがスリット２０の短手方向に再溶着してスリット２０を閉塞してしまう心配がない。
【００５３】
もし、本実施形態の接点ばね付シート１とは異なり、スリットが形成されていない構成等で、クリックばねに追従しにくいシートであれば、例えば、クリックばねに貼着させた状態では、クリックばねの膨出量が抑えられて操作量が減少してしまう。あるいは、クリックばねとシートとが貼着されている領域が剥れて、再貼着と剥れを繰り返すような不安定な貼着状態になって、操作感触に影響してしまう。
【００５４】
また、本実施形態の接点ばね付シート１は、スペーサシート２２を厚くせずに、クリックばね５の頂部５ａの反転動作における移動量を大きく設定したいときに、とくに効果的なものである。スペーサシート２２を厚くせずに、クリックばね５のドーム状の高さを高くするためには、カバーシート２１がクリックばね５の形状に倣ってドーム状に膨出する高さが高くなければならない。カバーシート２１には渦状のスリット２０が設けられていることで、ドーム状に膨出する高さを高くしても伸長されたシート２の張力が小さいので、クリックばね５の膨出量が抑えられてしまうことがない。よって、クリックばね５のスペーサシート２２を厚くしなくても、クリックばね５の頂部５ａの反転動作における移動量を大きくできるとともに、カバーシート２１がクリックばね５の形状に倣ってドーム状に膨出する高さを、周囲に対して高くすることができる。このため、上方側から押圧操作する操作位置がより明確になり、誤操作が少なくできるとともに、反転動作への追従性がよく、操作感触を良好にすることができる。
【００５５】
（スリットの形状の変形例）
クリックばね５の平面サイズや操作量に応じて、スリット２０の本数や長さを、適宜、最適化することが好ましい。さらに、スリットの形状は、図１０に示すもの以外に種々に変更可能である。図１１は、スリットの形状の変形例を説明する模式図である。図１１（ａ）は、平面視で収容部４の内壁４ａ近傍に位置する一端側が直線からなる渦状に形成されたスリット２５としたものである。なお、スリット２５は６本配置されている。図１１（ｂ）は、平面視で収容部４の内壁４ａ近傍に位置する一端側から中心側に位置する他端側までを直線からなる渦状に形成されたスリット２６としたものである。なお、スリット２６は１０本配置されている。図１１（ｃ）は、横長のクリックばね５１に対して適用可能なものであり、クリックばね５１の長手方向に沿った直線状のスリット２７を渦状に形成されたスリット２０に組み合せたものである。いずれの変形例であっても、本実施形態に説明した効果を奏するように、スリットの長さや本数を最適化することが可能である。なお、スリットの長さが短くてもよい場合には、図１０に示した他端の仮想円Ｃ２がクリックばね５の外周部５ｂより内壁４ａ側に位置する形態であってもよい。
【００５６】
（第１実施形態の第１変形例）
第１実施形態の第１変形例について、図４を参照して説明する。図４は、第１実施形態の第１変形例のクリックばね付シート１１及びスイッチ装置３１を示す外観図で、図４（ａ）は模式平面図、図４（ｂ）は図４（ａ）のＶＩ−ＶＩ線で切断した模式断面図である。なお、第１実施形態の部材と同材料の部材は、符号を同じにして、各部材の説明は割愛する。
【００５７】
図４に示すように、第１変形例におけるシート２は複数のクリックばね５を平面配置可能な収容部４を有している。クリックばね付シート１１は、複数のクリックばね５と、カバーシート２１とスペーサシート２２とが積層されたシート２と、で構成されている。スイッチ装置３１は、クリックばね付シート１１に貼着されるベース３の表面に、固定接点６６及び接点部材６７が各クリックばね５に対応する位置に配置されている。
【００５８】
複数のクリックばね５の配置されているピッチが十分な距離であれば、第１実施形態のクリックばね付シート１及びスイッチ装置３０を複数配列したものと実質同一である。本変形例では、複数のクリックばね５の配置されているピッチは一定でなく、図４に示すように、一部のクリックばね５が隣り合うクリックばね５に近接配置されている。近接するクリックばね５に対応する平面位置において、カバーシート２１は、スリット２０に比べて、長手方向の長さが短く形成されたスリット２８が形成されていることを特徴とする。
【００５９】
本変形例では、クリックばね５が複数あり、各クリックばね５に対して複数のスリット２０が形成されている。この態様によれば、クリックばね付シート１１及びスイッチ装置３１は、複数のクリックばね５を有しているので、キーボードなどの複数の操作部分があるものに１セットで対応できる。
【００６０】
本変形例では、クリックばね５が複数あり、近接した状態で配置されたクリックばね５に対応する複数のスリットにおいて、近接する側に配置されるスリット２８がスリット２０に比べて短く形成されている。この態様によれば、近接した状態のクリックばね５においても、短いスリット２８を含む複数のスリットが設けられていることで、伸長されたカバーシート２１の張力を小さくすることができるので、クリックばね５が近接していても他のクリックばね５の部分に比較して操作感触をほとんど低下させることがないものにできる。したがって、クリックばね付シート１１は、操作量を大きく設定しても、操作感触を良好にすることができる。さらに、スイッチ装置３１は、操作量を増加させることができるとともに、良好な操作感触を有する。
【００６１】
（第１実施形態の第２変形例）
以下に第１実施形態の第２変形例におけるスイッチ装置３２について、図５を参照して説明する。図５は、第１実施形態の第２変形例のスイッチ装置３２を示す外観図で、図５（ａ）は模式平面図、図５（ｂ）は図５（ａ）のＶ−Ｖ線で切断した模式断面図である。なお、第１実施形態の部材と同材料の部材は、符号を同じにして、各部材の説明は割愛する。
【００６２】
本変形例のスイッチ装置３２は、図５に示すように、ケース６８及び操作部材６９を備え、ケース６８内にクリックばね付シート１と、固定接点６６及び接点部材６７が配置されたベース３と、が配設されている。クリックばね付シート１は、クリックばね５と、カバーシート２１とスペーサシート２２とが積層されたシート２と、で構成されている。操作部材６９はケース６８の開口から突出するとともに、カバーシート２１を介してクリックばね５の頂部５ａを押圧可能な形状に構成されている。なお、ケース６８を絶縁性の樹脂材とし、固定接点６６及び接点部材６７をケース６８に配置する構成としてもよい。
【００６３】
スイッチ装置３２は、操作部材６９を上方側から押圧操作することによって、カバーシート２１を介してクリックばね５の頂部５ａが下方に反転する。これにより、クリックばね５が固定接点６６に当接して、クリックばね５を介して固定接点６６と接点部材６７とが電気接続される。
【００６４】
本変形例において、スイッチ装置３２は、ケース６８及び操作部材６９を備え、渦状のスリット２０が形成されたクリックばね付シート１を有し、クリックばね５を可動接点とするとともに、クリックばね５に対応する位置の下方側に固定接点６６が配置されている。この態様によれば、スイッチ装置３０は、渦状のスリット２０が形成されたクリックばね付シート１によって、操作量を増加させることができるとともに、良好な操作感触を有する。
【００６５】
なお、本変形例のスイッチ装置３２と同様にして、複数の操作部材６９を備えたスイッチ装置を構成してもよい。例えば、第１実施形態の第１変形例のクリックばね付シート１１を配設可能なケースにして、複数の開口から複数の操作部材６９を突出させるとともに、それぞれの操作部材６９がカバーシート２１を介してクリックばね５の頂部５ａを押圧可能に構成すればよい。この態様によれば、複数のクリックばね５を有しているので、キーボードなどの複数の操作部分があるものに１セットで対応できる。
【００６６】
［第２実施形態］
以下に第２実施形態におけるクリックばね付シート１３及びスイッチ装置３３について図６、図７、及び図１０を参照して説明する。図６は、第２実施形態のクリックばね付シート１３及びこれを用いたスイッチ装置３３を示す外観図で、図６（ａ）は模式平面図、図６（ｂ）は模式正面図である。図７は、図６のＶＩＩ−ＶＩＩ線で切断したスイッチ装置の模式断面図であり、図７（ａ）は初期状態の断面図であり、図７（ｂ）は操作状態での模式断面図であり、図７（ｃ）は図７（ａ）に示すＢ部の拡大説明図である。なお、第１実施形態の部材と同材料の部材は、符号を同じにして、各部材の説明は割愛する。
【００６７】
図６及び図７に示すように、スイッチ装置３３は、クリックばね５を有するクリックばね付シート１３と、固定接点６６及び可動接点６５が配置されたスイッチ部６０と、を組み立てたものである。クリックばね付シート１３は、図７に示すように、クリックばね５と、カバーシート２１とスペーサシート２２とが積層されたシート２と、で構成されている。
【００６８】
クリックばね５は、導電性の金属板、例えば、りん青銅によりドーム状の膨出部を有する略円形の外形に加工されたものである。クリックばね５は、図７（ａ）に示すように、頂部５ａと、外周部５ｂと、を有している。クリックばね５の外周部５ｂが固定された状態で、クリックばね５の頂部５ａの上方側からの押圧操作によって、クリックばね５の頂部５ａが下方に反転可能である。
【００６９】
カバーシート２１は、可撓性を有するフィルム材、例えば、ＰＥＴ（ポリエチレンテレフタレート）を加工したものである。カバーシート２１には、渦状のスリット２０が形成されている。このようなスリット２０は、カバーシート２１をレーザによって加工することにより形成される。カバーシート２１には、透明なフィルム材の他、例えば、白色顔料が混合されて白色に着色されたフィルム材や、黒色顔料が混合されて黒色に着色されたフィルム材を使用することができる。
【００７０】
スペーサシート２２は、可撓性を有するフィルム材、例えば、ＰＥＴを加工したものである。スペーサシート２２は、クリックばね５を収容する開口が形成され、該開口を除く全面がカバーシート２１の一面側に貼着されている。カバーシート２１にスペーサシート２２が貼着されることによって、スペーサシート２２の開口をカバーシート２１が覆うことによって、収容部４の空間が形成されている。
【００７１】
図７（ａ）に示すように、収容部４の中央部分にクリックばね５が収容され、カバーシート２１がクリックばね５の形状に倣ってドーム状に膨出する。クリックばね５と接する側のカバーシート２１の一面には、図７（ｃ）に拡大して示すように、粘着層２１ａが形成されている。これにより、カバーシート２１は、粘着層２１ａを介して、クリックばね５の頂部５ａと貼着されている。このように、クリックばね付シート１は、クリックばね５と、カバーシート２１とスペーサシート２２とが積層されたシート２と、で構成されている。なお、図３（ｃ）に示すように、クリックばね５の外周部５ｂと、収容部４の内壁４ａと、が所定の寸法だけ離れており、外周部５ｂにはカバーシート２１の粘着層２１ａが接していない。スリット２０は、クリックばね５に貼着されない位置に形成されて、クリックばね５と隙間を有している。
【００７２】
スイッチ部６０は、可動接点６５が配置されたメンブレンシート６１、スペーサシート６２、及び、可動接点６５に対向するように固定接点６６が配置されたベース６３と、を組み立てたものである。
【００７３】
メンブレンシート６１は、絶縁性及び可撓性を有するフィルム材、例えば、ＰＥＴを加工したものである。メンブレンシート６１の一面には、導電パターンが形成されており、その導電パターンの一部が可動接点６５になっている。
【００７４】
ベース６３は、絶縁性を有するフィルム材、例えば、ＰＥＴを加工したものである。ベース６３のメンブレンシート６１と対向する面には、導電パターンが形成されており、その導電パターンの一部が固定接点６６になっている。なお、ベース６３には、メンブレンシート６１と同様に、可撓性を有するフィルム材を用いることもできる。
【００７５】
スペーサシート６２は、フィルム材、例えば、ＰＥＴを加工したものである。スペーサシート６２は、図７（ａ）に示すように、クリックばね付シート１とスイッチ部６０とが組み立てられたときにクリックばね５の外周部５ｂに、メンブレンシート６１を介して重畳する位置に少なくとも配置されている。
【００７６】
可動接点６５及び固定接点６６は、クリックばね付シート１３とスイッチ部６０とが組み立てられたときに、クリックばね５に対応する平面位置の下方側に配置されている。固定接点６６は、可動接点６５とは電気的に絶縁された状態で配置されており、かつ、クリックばね５がドーム状であるため、図７（ａ）に示すように、初期状態では、クリックばね５の頂部５ａと可動接点６５とは接していない。
【００７７】
スイッチ装置３３は、クリックばね５が一面側に貼り付けられたシート２を、上方側（他面側）から押圧する押圧操作によって、クリックばね５の頂部５ａを下方に反転可能な構成になっている。すなわち、図７（ｂ）に示すように、クリックばね５の頂部５ａを覆うシート２を上方側から押圧操作することによって、クリックばね５の頂部５ａが下方に反転する。これにより、クリックばね５がメンブレンシート６１に当接して、メンブレンシート６１を押圧してメンブレンシート６１を介して可動接点６５と固定接点６６とが電気接続される。また、このとき、シート２は、クリックばね５の頂部５ａが下方に反転する状態に追従して、図７（ｂ）に示すように変形する。押圧操作が開放されると、クリックばね５の復元力によって、図７（ａ）に示す初期状態に戻り、可動接点６５と固定接点６６とは電気的に絶縁された状態に復帰する。
【００７８】
なお、このときのクリックばね５の頂部５ａが上下方向に移動する移動量を、操作量と称する。また、クリックばね５の頂部５ａの反転動作に伴って操作荷重が非線形に変化する感触を、操作感触（クリック感）と称する。
【００７９】
操作量を大きくしたい場合、クリックばね５の頂部５ａの反転動作における移動量を大きくするように、クリックばね５のドーム形状の高さを高くする。
【００８０】
次に、本実施形態のクリックばね付シート１３及びこれを用いたスイッチ装置３３におけるスリット２０の形状を説明する。
【００８１】
図６に示すように、複数のスリット２０が、平面視でクリックばね５の外周部５ｂより外側の位置からクリックばね５の頂部５ａに向かって渦状になるように形成されている。図１０に示すように、クリックばね５の頂部５ａを中心とする放射状の仮想線（直線）ＲＬを引くと、スリット２０は、平面視で収容部４の内壁４ａ近傍の位置を長手方向の一端、中心に向かって形成された中心側を長手方向の他端とする細長い開口形状である。スリット２０の短手方向の幅は、例えば、０．２ｍｍに形成されている。このようなスリット２０は、レーザによって加工することが容易である。レーザ加工は、カッター等で切れ目を入れた場合と異なり、加工幅（開口幅）を有しているので、図７（ｃ）に示す粘着層２１ａが再溶着してスリット２０を閉塞してしまう心配がない。
【００８２】
図１０に示すように、この一端の仮想円Ｃ１と他端の仮想円Ｃ２とを引いたとき、その２つの仮想円Ｃ１、Ｃ２が離間する径方向寸法をＬ１とする。スリット２０の長手方向の他端は、平面視でクリックばね５の外周部５ｂの上方に位置し、図７（ｃ）に示すように、クリックばね５とは間隙を有している。
【００８３】
図１０に示すように、クリックばね５の頂部５ａを中心とする放射状の仮想線ＲＬがスリット２０を横切るように、複数のスリット２０が配置されている。このため、カバーシート２１がクリックばね５の形状に倣ってドーム状に膨出するときには、径方向でなく、複数のスリット２０間の渦状の方向にカバーシート２１が伸長される。すなわち、径方向寸法Ｌ１の範囲において、カバーシート２１が渦状の方向に沿って、より伸長しやすくなっている。このとき、カバーシート２１が伸長されて発生する張力はクリックばね５の膨出を抑制する方向に作用しているが、複数のスリット２０が渦状に設けられていることにより張力を小さくすることができる。また、クリックばね５が一面側に貼り付けられたシート２を、その他面側である上方側から押圧する押圧操作によって、クリックばね５の頂部５ａを下方に反転させる際には、カバーシート２１の張力が小さく、且つ、スリット２０が幅方向にも変位可能なので、シート２は、クリックばね５の頂部５ａが下方に反転する状態に追従して、変形することが容易になっている。このように、シート２は複数のスリット２０が渦状になるように形成されているので、クリックばね５の反転操作量を大きくしてもシート２が追従することが可能であり、このため、操作量を大きく設定しても、クリックばね付シート１３の操作感触が損なわれることがない。
【００８４】
以上に説明したように、本実施形態の接点ばね付シート１３では、シート２に、平面視で前記クリックばねの外周部５ｂより外側の位置からクリックばね５の頂部５ａに向かって渦状になるように形成された複数のスリット２０が設けられている。この態様によれば、クリックばね５が一面側に貼り付けられたシート２を上方側から押圧し、クリックばね５の頂部５ａを下方に反転させる操作において、渦状のスリット２０が設けられていることで、伸長されたシート２の張力を小さくすることができるので、操作量を大きく設定しても、操作感触を良好にすることができる。
【００８５】
本実施形態のスイッチ装置３３は、渦状のスリット２０が形成されたクリックばね付シート１３を有し、クリックばね５に対応する位置の下方側に、固定接点６６と可動接点６５とを備えるスイッチ部６０が配置されている。この態様によれば、スイッチ装置３３は、渦状のスリット２０が形成されたクリックばね付シート１３によって、操作量を大きく設定しても、操作感触を良好にすることができる。したがって、スイッチ装置３３は、操作量を増加させることができるとともに、良好な操作感触を有する。
【００８６】
本実施形態では、クリックばね５の頂部５ａを中心とする放射状の仮想線ＲＬ上において、複数のスリット２０の少なくとも１つが形成されている。この態様によれば、複数のスリット２０が満遍なく配置されているので、クリックばね５の動作に対しての追従性が良いものになっている。
【００８７】
本実施形態において、複数のスリット２０は、クリックばね５と間隙を有して配置されている。この態様によれば、クリックばね５に貼りつかない部分により反転動作への追従性がよく、操作感触を良好にすることができる。
【００８８】
本実施形態において、スペーサシート２２は、カバーシート２１の一面側に配置されるとともに、クリックばね５を収容する収容部４が設けられており、クリックばね５は、平面視で、外周部５ｂが収容部４の内壁４ａより内側に位置し、かつ、頂部５ａがカバーシート２１に貼り付けられるように収容部４の略中央に配置され、複数のスリット２０は、カバーシート２１に、平面視で収容部４の内壁４ａの位置から内側に向かって形成されている。この態様によれば、クリックばね５の形状によって、クリックばね５の頂部５ａの反転動作における移動量を設定可能であり、移動量を大きく設定したときにも、カバーシート２１に渦状のスリット２０が設けられていることで、伸長されたカバーシート２１の張力を小さくすることができるので、操作感触を良好にすることができる。
【００８９】
本実施形態において、カバーシート２１は粘着層２１ａを有し、スリット２０の短手方向の幅が０．２ｍｍである。この態様によれば、カバーシート２１は粘着層２１ａを有しているので、粘着層２１ａを介してクリックばね５の頂部５ａを貼り付けることができる。また、スリット２０の短手方向の幅が０．２ｍｍであるので、このようなスリット２０は、レーザによって加工することが容易である。レーザ加工は、カッター等で切れ目を入れた場合と異なり、０．０２ｍｍ以上の加工幅を有しているので、粘着層２１ａがスリット２０の短手方向に再溶着してスリット２０を閉塞してしまう心配がない。
【００９０】
もし、本実施形態の接点ばね付シート１３とは異なり、スリットが形成されていない構成等で、クリックばねに追従しにくいシートであれば、例えば、クリックばねに貼着させた状態ではクリックばねの膨出量が抑えられて操作量が減少してしまう。あるいは、クリックばねとシートとが貼着されている領域が剥れて、再貼着と剥れを繰り返すような不安定な貼着状態になって、操作感触に影響してしまう。
【００９１】
また、本実施形態の接点ばね付シート１３は、スペーサシート２２を厚くせずに、クリックばね５の頂部５ａの反転動作における移動量を大きく設定したいときに、とくに効果的なものである。スペーサシート２２を厚くせずに、クリックばね５のドーム状の高さを高くするためには、カバーシート２１がクリックばね５の形状に倣ってドーム状に膨出する高さが高くなければならない。カバーシート２１には渦状のスリット２０が設けられていることで、ドーム状に膨出する高さを高くしても伸長されたシート２の張力が小さいので、クリックばね５の膨出量が抑えられてしまうことがない。よって、クリックばね５のスペーサシート２２を厚くしなくても、クリックばね５の頂部５ａの反転動作における移動量を大きくできるとともに、カバーシート２１がクリックばね５の形状に倣ってドーム状に膨出する高さを、周囲に対して高くすることができる。このため、上方側から押圧操作する操作位置がより明確になり、誤操作が少なくできるとともに、反転動作への追従性がよく、操作感触を良好にすることができる。
【００９２】
（スリットの形状の変形例）
クリックばね５の平面サイズや操作量に応じて、スリット２０の本数や長さを、適宜、最適化することが好ましい。さらに、スリットの形状は、図１０に示すもの以外に種々に変更可能である。図１１は、スリットの形状の変形例を説明する模式図である。図１１（ａ）は、平面視で収容部４の内壁４ａ近傍に位置する一端側が直線からなる渦状に形成されたスリット２５としたものである。なお、スリット２５は６本配置されている。図１１（ｂ）は、平面視で収容部４の内壁４ａ近傍に位置する一端側から中心側に位置する他端側までを直線からなる渦状に形成されたスリット２６としたものである。なお、スリット２６は１０本配置されている。図１１（ｃ）は、横長のクリックばね５１に対して適用可能なものであり、クリックばね５１の長手方向に沿った直線状のスリット２７を渦状に形成されたスリット２０に組み合せたものである。いずれの変形例であっても、本実施形態に説明した効果を奏するように、スリットの長さや本数を最適化することが可能である。なお、スリットの長さが短くてもよい場合には、図１０に示した他端の仮想円Ｃ２がクリックばね５の外周部５ｂより内壁４ａ側に位置する形態であってもよい。
【００９３】
（第２実施形態の第１変形例）
第２実施形態の第１変形例について、図８を参照して説明する。図８は、第２実施形態の第１変形例のクリックばね付シート１４及びスイッチ装置３４を示す外観図で、図８（ａ）は模式平面図、図８（ｂ）は図８（ａ）のＶＩＩＩ−ＶＩＩＩ線で切断した模式断面図である。なお、第１実施形態及び第２実施形態の部材と同材料の部材は、符号を同じにして、各部材の説明は割愛する。
【００９４】
図８に示すように、第１変形例におけるシート２は複数のクリックばね５を平面配置可能な収容部４を有している。クリックばね付シート１４は、複数のクリックばね５と、カバーシート２１とスペーサシート２２とが積層されたシート２と、で構成されている。スイッチ装置３４は、クリックばね付シート１４に貼着されるベース３の表面に、固定接点６６及び接点部材６７が各クリックばね５に対応する位置に配置されている。
【００９５】
複数のクリックばね５の配置されているピッチが十分な距離であれば、第１実施形態のクリックばね付シート１及びスイッチ装置３０を複数配列したものと実質同一である。本変形例では、複数のクリックばね５の配置されているピッチは一定でなく、図８に示すように、一部のクリックばね５が隣り合うクリックばね５に近接配置されている。近接するクリックばね５に対応する平面位置において、カバーシート２１は、スリット２０に比べて、長手方向の長さが短く形成されたスリット２８が形成されていることを特徴とする。
【００９６】
本変形例では、クリックばね５が複数あり、各クリックばね５に対して複数のスリット２０が形成されている。この態様によれば、クリックばね付シート１４及びスイッチ装置３４は、複数のクリックばね５を有しているので、キーボードなどの複数の操作部分があるものに１セットで対応できる。
【００９７】
本変形例では、クリックばね５が複数あり、近接した状態で配置されたクリックばね５に対応する複数のスリットにおいて、近接する側に配置されるスリット２８がスリット２０に比べて短く形成されている。この態様によれば、近接した状態のクリックばね５においても、短いスリット２８を含む複数のスリットが設けられていることで、伸長されたカバーシート２１の張力を小さくすることができるので、クリックばね５が近接していても他のクリックばね５の部分に比較して操作感触をほとんど低下させることがないものとできる。したがって、クリックばね付シート１４は、操作量を大きく設定しても、操作感触を良好にすることができる。さらに、スイッチ装置３４は、操作量を増加させることができるとともに、良好な操作感触を有する。
【００９８】
（第２実施形態の第２変形例）
以下に第２実施形態の第２変形例におけるスイッチ装置３５について、図９を参照して説明する。図９は、第２実施形態の第２変形例のスイッチ装置３５を示す外観図で、図９（ａ）は模式平面図、図９（ｂ）は図９（ａ）のＩＸ−ＩＸ線で切断した模式断面図である。なお、第１実施形態及び第２実施形態の部材と同材料の部材は、符号を同じにして、各部材の説明は割愛する。
【００９９】
本変形例のスイッチ装置３５は、図９に示すように、ケース６８及び操作部材６９を備え、ケース６８内にクリックばね付シート１３と、固定接点６６及び可動接点６５が配置されたスイッチ部６０と、を組み立てたものである。クリックばね付シート１３は、クリックばね５と、カバーシート２１とスペーサシート２２とが積層されたシート２と、で構成されている。スイッチ部６０は、可動接点６５が配置されたメンブレンシート６１、スペーサシート６２、及び、可動接点６５に対向するように固定接点６６が配置されたベース６３と、を組み立てたものである。操作部材６９はケース６８の開口から突出するとともに、カバーシート２１を介してクリックばね５の頂部５ａを押圧可能な形状に構成されている。なお、ケース６８を絶縁性の樹脂材とし、固定接点６６及び可動接点６５をケース６８に配置する構成としてもよい。
【０１００】
スイッチ装置３５は、操作部材６９を上方側から押圧操作することによって、カバーシート２１を介してクリックばね５の頂部５ａが下方に反転する。これにより、クリックばね５がメンブレンシート６１に当接して、メンブレンシート６１を押圧してメンブレンシート６１を介して可動接点６５と固定接点６６とが電気接続される。
【０１０１】
本変形例のスイッチ装置３５は、ケース６８及び操作部材６９を備え、渦状のスリット２０が形成されたクリックばね付シート１３を有し、クリックばね５に対応する位置の下方側に、固定接点６６と可動接点６５とを備えるスイッチ部６０が配置されている。この態様によれば、スイッチ装置３５は、渦状のスリット２０が形成されたクリックばね付シート１３によって、操作量を増加させることができるとともに、良好な操作感触を有する。
【０１０２】
なお、本変形例のスイッチ装置３４と同様にして、複数の操作部材６９を備えたスイッチ装置を構成してもよい。例えば、第２実施形態の第１変形例のクリックばね付シート１４を配設可能なケースにして、複数の開口から複数の操作部材６９を突出させるとともに、それぞれの操作部材６９がカバーシート２１を介してクリックばね５の頂部５ａを押圧可能に構成すればよい。この態様によれば、複数のクリックばね５を有しているので、キーボードなどの複数の操作部分があるものに１セットで対応できる。
【符号の説明】
【０１０３】
１、１１、１３、１４  クリックばね付シート
２      シート
３      ベース
４      収容部
４ａ    内壁
５ａ    頂部
５ｂ    外周部
２０    スリット
２１    カバーシート
２１ａ  粘着層
２２    スペーサシート
２５、２６、２７、２８  スリット
３０、３１、３２、３３、３４、３５  スイッチ装置
６０    スイッチ部
６１    メンブレンシート
６２    スペーサシート
６３    ベース
６５    可動接点
６６    固定接点
６７    接点部材
６８    ケース
６９    操作部材
ＲＬ    仮想線
【図１】
0003181914.tif 000003
【図２】
0003181914.tif 000004
【図３】
0003181914.tif 000005
【図４】
0003181914.tif 000006
【図５】
0003181914.tif 000007
【図６】
0003181914.tif 000008
【図７】
0003181914.tif 000009
【図８】
0003181914.tif 000010
【図９】
0003181914.tif 000011
【図１０】
0003181914.tif 000012
【図１１】
0003181914.tif 000013
【図１２】
0003181914.tif 000014